(57)【要約】【課題】  装飾用等として効果的な作用をなすとともに、製造が容易な発光ダイオードを用いた発光装置を提供する。【解決手段】  発光ダイオード２０が搭載された透光板１２ａ、１２ｂ、１２ｃを、前記発光ダイオード２０が搭載された面を内面側とし、３枚以上組み合わせて透光筒１５を形成し、該透光筒１５の両端縁部に蓋３０を装着して形成した発光装置１０であって、前記透光筒１５の一方の端縁部に装着された蓋３０が、前記透光板に搭載された発光ダイオード２０の一方の電極と電気的に接続され、前記透光筒１５の他方の端縁部に装着された蓋３０が、前記透光板に搭載された発光ダイオード２０の他方の電極と電気的に接続されている。【選択図】          図１
2007234470.tif 000002
【特許請求の範囲】
【請求項１】
発光ダイオードが搭載された透光板を、前記発光ダイオードが搭載された面を内面側とし、３枚以上組み合わせて透光筒を形成し、該透光筒の両端縁部に蓋を装着して形成した発光装置であって、
前記透光筒の一方の端縁部に装着された蓋が、前記透光板に搭載された発光ダイオードの一方の電極と電気的に接続され、前記透光筒の他方の端縁部に装着された蓋が、前記透光板に搭載された発光ダイオードの他方の電極と電気的に接続されていることを特徴とする発光装置。
【請求項２】
前記透光板には前記発光ダイオードの一方の電極と電気的に接続される配線パターンと、前記発光ダイオードの他方の電極と電気的に接続される配線パターンとが設けられ、
前記透光筒の一方の端縁部に装着された蓋は、前記発光ダイオードの一方の電極と電気的に接続される配線パターンと電気的に接続され、
前記透光筒の他方の端縁部に装着された蓋は、前記発光ダイオードの他方の電極と電気的に接続される配線パターンと電気的に接続されていることを特徴とする請求項１記載の発光装置。
【請求項３】
前記配線パターンは、複数個の発光ダイオードに対して共通の配線パターンとして設けられていることを特徴とする請求項２記載の発光装置。
【請求項４】
前記蓋は、前記透光筒の端面を覆う蓋部と、前記透光筒の内面の端面形状に合わせた端面形状に形成された嵌入部とを備え、
前記嵌入部を前記透光筒の内面に嵌入することにより、前記配線パターンと前記嵌入部に設けられた接続部とが電気的に接続して、前記発光ダイオードと前記蓋とが電気的に接続されることを特徴とする請求項２または３記載の発光装置。
【請求項５】
前記蓋部は、端面の外形形状が、前記透光筒の端面の外形形状に一致する形状に形成されていることを特徴とする請求項４記載の発光装置。
【請求項６】
前記蓋は、導電性材料からなり、蓋自体が前記配線パターンと電気的に接続される接続部と、前記配線パターンに電圧を印加する電源と電気的に接続される接続電極として形成されていることを特徴とする請求項１〜５のいずれか一項記載の発光装置。
【請求項７】
前記発光ダイオードと配線パターンとは、ワイヤボンディングにより電気的に接続されていることを特徴とする請求項１〜６のいずれか一項記載の発光装置。
【請求項８】
前記発光ダイオードと配線パターンとは、フリップチップ接続により電気的に接続されていることを特徴とする請求項１〜６のいずれか一項記載の発光装置。
【請求項９】
前記透光筒内に冷却用の液体が充填され、前記蓋により前記透孔筒が密封シールされていることを特徴とする請求項１〜８のいずれか一項記載の発光装置。
【発明の詳細な説明】
【技術分野】
【０００１】
本発明は、発光ダイオードを用いた発光装置に関する。
【背景技術】
【０００２】
近年は低電力で高輝度が得られる発光ダイオードが提供されており、簡単に使用できる発光源として、家電製品、ＯＡ機器、車載機器といったさまざまな用途に使用されている。これらの用途に使用される発光ダイオードは、リードが設けられた支持基体に発光ダイオードを搭載し、レンズ作用を備えた透明なキャップにより発光ダイオードを封止して形成した製品や、発光ダイオードを搭載する収納凹部の内面が光反射面として形成された基台の底部に発光ダイオードを搭載し、収納凹部の開口部を透光体によって封止した製品（たとえば、特許文献１参照）である。
【特許文献１】特開２００５−１３６１３７号公報
【発明の開示】
【発明が解決しようとする課題】
【０００３】
上述したように、表示用の光源等として一般に使用されている発光ダイオードは、発光ダイオードのチップをパッケージに搭載して提供されるもので、光の放射方向に合わせて発光ダイオードを機器に組み込むといった使い方がされる。このため、従来、発光ダイオードを用いて組み立てた製品は、発光ダイオードを所定の向きに向けて外部から発光ダイオードによる投射光が視認できるようにしたものである。
しかしながら、このような形態とした発光装置は、一方向には発光ダイオードからの光が視認できても、多方向から光を視認できないために、装飾性等の点では不十分であった。
【０００４】
本発明は、発光ダイオードの光を一方向のみでなく、多方向から視認することができ、装飾用として効果的な作用をなすとともに、製造も容易な発光ダイオードを用いた発光装置を提供することを目的とする。
【課題を解決するための手段】
【０００５】
本発明は、上記目的を達成するため次の構成を備える。
すなわち、発光ダイオードが搭載された透光板を、前記発光ダイオードが搭載された面を内面側とし、３枚以上組み合わせて透光筒を形成し、該透光筒の両端縁部に蓋を装着して形成した発光装置であって、前記透光筒の一方の端縁部に装着された蓋が、前記透光板に搭載された発光ダイオードの一方の電極と電気的に接続され、前記透光筒の他方の端縁部に装着された蓋が、前記透光板に搭載された発光ダイオードの他方の電極と電気的に接続されていることを特徴とする。なお、発光ダイオードの一方の電極と他方の電極とは、発光ダイオードのカソード電極とアノード電極のうちの一方と他方の電極の意である。
【０００６】
また、前記透光板には前記発光ダイオードの一方の電極と電気的に接続される配線パターンと、前記発光ダイオードの他方の電極と電気的に接続される配線パターンとが設けられ、前記透光筒の一方の端縁部に装着された蓋は、前記発光ダイオードの一方の電極と電気的に接続される配線パターンと電気的に接続され、前記透光筒の他方の端縁部に装着された蓋は、前記発光ダイオードの他方の電極と電気的に接続される配線パターンと電気的に接続されていることを特徴とする。
また、前記配線パターンは、複数個の発光ダイオードに対して共通の配線パターンとして設けられていることにより、発光ダイオードと蓋との電気的接続が容易になされ、蓋を発光ダイオードに電圧を印加する電源に電気的に接続することによって容易に発光ダイオードを点灯することができる。
【０００７】
また、前記蓋は、前記透光筒の端面を覆う蓋部と、前記透光筒の内面の端面形状に合わせた端面形状に形成された嵌入部とを備え、前記嵌入部を前記透光筒の内面に嵌入することにより、前記配線パターンと前記嵌入部に設けられた接続部とが電気的に接続して、前記発光ダイオードと前記蓋とが電気的に接続されることを特徴とする。
また、前記蓋部は、端面の外形形状が、前記透光筒の端面の外形形状に一致する形状に形成されていることにより、透光筒と蓋とが一体的に形成される。
【０００８】
また、前記蓋は、導電性材料からなり、蓋自体が前記配線パターンと電気的に接続される接続部と、前記配線パターンに電圧を印加する電源と電気的に接続される接続電極として形成されていることにより、前記発光ダイオードと蓋との電気的接続がさらに容易になる。
また、前記発光ダイオードと配線パターンとは、ワイヤボンディングにより電気的に接続すること、フリップチップ接続により電気的に接続することができる。
また、前記透光筒内に冷却用の液体が充填され、前記蓋により前記透孔筒が密封シールされていることにより、発光ダイオードから発生する熱を効果的に放散させることができ、大パワーで発熱量の大きな発光ダイオードを搭載することができる。
【発明の効果】
【０００９】
本発明に係る発光装置によれば、透光筒の内面に発光ダイオードを搭載し、発光ダイオードと蓋とを電気的に接続する構成としたことにより、発光ダイオードを点灯させる電圧を印加する電源と蓋とを電気的に接続することにより、発光ダイオードを点灯させることができる。発光ダイオードが透光筒内に搭載されていることにより、発光ダイオードが確実に保護できるとともに、透光筒内で発光することにより、透光筒を透過した光が外部から視認され、また透孔筒内で反射した光、散乱した光の作用により透光筒の外面全体が輝くように見え、見栄えのよい発光装置として提供される。また、各々の透光板に発光ダイオードを搭載した後、発光ダイオードが搭載された透光板を組み合わせて透光筒を形成することにより、複雑な製造工程によらずに製造できるという利点がある。
【発明を実施するための最良の形態】
【００１０】
（第１の実施の形態）
図１は、本発明に係る発光装置の第１の実施の形態の構成を示す組立斜視図である。本実施の形態の発光装置１０は、ガラス等の透明体からなる透光板１２ａ、１２ｂ、１２ｃを端面の外形形状が正三角形となるように組み合わせて形成した透光筒１５と、透光板１２ａ、１２ｂ、１２ｃの各々の内面に搭載した発光ダイオード２０と、透光筒１５の両端にそれぞれ取り付けた蓋３０とからなる。なお、発光ダイオード２０はカソード電極とアノード電極を備えたチップ状に形成されたものである。
【００１１】
透光筒１５は、透光板１２ａ、１２ｂ、１２ｃの両端縁を斜めカットし、斜めカット部１２１を互いに対向させ、透明な接着剤を用いて接着することにより、端面の外形形状が正三角形となる筒体に形成される。透光筒１５の内部は発光ダイオード２０が搭載される空間となり、透光筒１５の内面の端面形状も正三角形となる。
蓋３０は、透光筒１５の外形形状に合わせて端面の外形形状が正三角形に形成された蓋部３０ａと、透光筒１５の内側面に嵌入される嵌入部３０ｂとからなる。嵌入部３０ｂは透光筒１５の内面の端面形状に合わせて端面が正三角形に形成される。
【００１２】
図２に、発光装置１０を図１のＡ−Ａ線方向から見た状態を示す。透光板１２ｂの内面に長手方向に２列に、単体のチップに形成された発光ダイオード２０が搭載されている。透光板１２ｂには発光ダイオード２０の搭載位置ごとに一対の配線パターン１４ａ、１４ｂが形成されている。一方の配線パターン１４ａは、発光ダイオード２０に所定の電圧を印加する電源のたとえばプラス極に接続され、他方の配線パターン１４ｂは電源のマイナス極に接続される。本実施形態では発光ダイオード２０を２列に配列しているから透光板１２ｂの長手方向に一対の配線パターン１４ａ、１４ｂを２組、すなわち透光板１２ｂの内面に４本の配線パターン１４ａ、１４ｂを設けている。
【００１３】
一方の配線パターン１４ａは、一端部が透光筒１５の一方の端縁部まで延出する一方、配線パターン１４ａの他端部は透光筒１５の他方の端縁部から離間して設けられる。また、他方の配線パターン１４ｂは、一端部が透光筒１５の一方の端縁部からは離間し、他端部が透光筒１５の他方の端縁部まで延出するように設けられる。
このように、一方の配線パターン１４ａと他方の配線パターン１４ｂの透光筒１５の両端縁部に対する位置関係を設定しているのは、蓋３０を電源と配線パターン１４ａ、１４ｂとを電気的に接続する電極として利用するためである。
【００１４】
すなわち、透光筒１５の一方の端縁部については、蓋３０を透光筒１５に装着することにより、蓋３０の嵌入部３０ｂは、一方の配線パターン１４ａとは重複し、他方の配線パターン１４ｂとは重複しないようになる。透光筒１５の他方の端縁部については、蓋３０を装着することにより、蓋３０の嵌入部３０ｂは他方の配線パターン１４ｂとのみ重複する。
蓋３０をたとえば銅材のような導体材によって形成しておけば、透光筒１５の端縁部から嵌入部３０ｂを透光筒１５に嵌入させることにより、嵌入部３０ｂが配線パターン１４ａ、１４ｂと接触し、一方の配線パターン１４ａについては一方の電極３０に電気的に接続し、他方の配線パターン１４ｂについては他方の電極３０と電気的に接続する。
なお、蓋３０の嵌入部３０ｂに配線パターン１４ａ、１４ｂに接触するバネ状の接触端子を設けて、蓋３０を透光筒１５の端縁部に装着した際に配線パターン１４ａ、１４ｂに接触端子が押接されて配線パターン１４ａ、１４と蓋３０とが電気的に接続するように形成することも可能である。
【００１５】
本実施形態では、透光筒１５に装着する蓋３０を、透光筒１５の開口端面を封止する目的と、電源と発光ダイオード２０とを電気的に接続する電極として利用していることが特徴である。透光板１２ａ、１２ｂ、１２ｃに設ける配線パターン１４ａ、１４ｂは、蓋３０を透光筒１５に装着した際に、一方の蓋３０については、発光ダイオード２０の一方の電極（たとえばカソード電極）が電気的に接続され、他方の蓋３０については、発光ダイオード２０の他方の電極（アノード電極）が電気的に接続されるようにパターン形成されていればよい。
【００１６】
図２に示す発光装置１０では、発光ダイオード２０と配線パターン１４ａ、１４ｂとはワイヤボンディングによって電気的に接続している。すなわち、透光板１２ｂに搭載されている各々の発光ダイオード２０は、一方の電極（たとえばカソード電極）と一方の配線パターン１４ａとをワイヤボンディングし、他方の電極と他方の配線パターン１４ｂとをワイヤボンディングする。
図３に、透光板１２ａに発光ダイオード２０を搭載してワイヤボンディングした状態を示す。透光板１２ａにはあらかじめ配線パターン１４ａ、１４ｂが形成されているから、カソード電極とアノード電極の向きを合わせて発光ダイオード２０を透光板１２ａの上に配置し、発光ダイオード２０のカソード電極、アノード電極と配線パターン１４ａ、１４ｂとの間をワイヤボンディングする。
【００１７】
各々の透光板１２ａ、１２ｂ、１２ｃはまったく同形に形成されたものであり、各々の透光板１２ａ、１２ｂ、１２ｃに同様にして発光ダイオード２０を搭載する。透光板は板体に形成されているから、透光板の上に配線パターン１４ａ、１４ｂを形成するには、一般的な配線基板の製造工程において配線パターンを形成する方法、たとえば導体層をエッチングする方法によって簡単に形成することができる。また、透光性の導体材料を所定のパターンに塗布あるいは印刷する等の方法によって所要の配線パターン１４ａ、１４ｂを形成することができる。
【００１８】
また、平板体として形成された透光板の上に発光ダイオード２０を搭載し、ワイヤボンディングによって配線パターン１４ａ、１４ｂと発光ダイオード２０とを電気的に接続することもきわめて容易にできる。図３では、発光ダイオード２０を縦横に整列した配置とし配線パターン１４ａ、１４ｂを発光ダイオード２０のカソード電極とアノード電極に接続される共通の配線パターンとして形成したが、個々の発光ダイオード０に別個に配線パターンを設けて、これらの配線パターンと蓋３０に設けた嵌入部３０ｂとを電気的に接続する配置とすることも可能である。また、発光ダイオード２０をマトリックス配置でなく任意の配置とし、配線パターンを直線的に設けず、引き回しパターンとして形成することも可能である。
【００１９】
発光装置１０を組み立てる際には、発光ダイオード２０が搭載されている３枚の透光板を組み合わせ、斜めカット部１２１を貼り合わせて、発光ダイオード２０が搭載された透光筒１５を組み立て、透光筒１５の端部に蓋３０を封着する。透光筒１５は透明な外観として視認されるほうが装飾的に見栄えがよい。したがって、透光板１２ａ、１２ｂ、１２ｃの斜めカット部１２１は透明な接着剤を用いて接合するとよい。
こうして、透光筒１５の内部に搭載された発光ダイオード２０と、電極として作用する蓋３０とが発光ダイオード２０の極性に合わせて電気的に接続された発光装置１０が組み立てられる。
【００２０】
図４は、発光装置１０を組み立てた状態で、透光筒１５を端面方向から見た図である。各々の透光板１２ａ、１２ｂ、１２ｃの内面に発光ダイオード２０が搭載されている。発光ダイオード２０は発光面を透光筒１５の内側に向けて搭載される。
この発光装置１０では、透光筒１５の一方と他方の端縁部に取り付けた蓋３０の間に発光ダイオード２０を発光させる所要の電圧を印加することにより、図の矢印の方向、すなわち発光ダイオード２０が搭載されている透光板に対し対向する透光板に向けて光が放射される。
【００２１】
発光ダイオード２０から対向する透光板に向けて放射された光は、透光板を透過して透光筒１５の外側から視認される。発光ダイオード２０からの投射光は、透光筒１５の内面で反射・散乱し、また各々の発光ダイオード２０からは横方向にも光が反射されるから、発光装置１０を外側から視認すると、透光筒１５の外面全体から光が放射されるように見える。
発光ダイオード２０には、赤、黄、緑、青といった種々の投射光の製品が提供されているから、透光板１２ａ、１２ｂ、１２ｃに搭載する発光ダイオード２０の色配列を適宜設定することによって、多彩な装飾効果を備えた発光装置１０とすることができる。また、色デザインを考慮して透光板１２ａ、１２ｂ、１２ｃ上における発光ダイオード２０の配置を種々に設定することもでき、発光ダイオード２０の配置数も適宜選択することができる。また、透光板１２ａ、１２ｂ、１２ｃの長さ、厚さ等の寸法も適宜選択することができ、透光板も無色のものから、着色された透明材質のものを使用することもできる。
【００２２】
上記例では、発光ダイオード２０と配線パターン１４ａ、１４ｂとをワイヤボンディングによって電気的に接続したが、発光ダイオード２０をフリップチップ接続によって透光板１２ａ、１２ｂ、１２ｃに搭載することもできる。図５は、発光ダイオード２０を透光板１２ａ、１２ｂ、１２ｃにフリップチップ接続によって搭載した例を示す。透光筒１５の構成は上記実施形態と同様である。発光ダイオード２０をフリップチップ接続した際には、発光ダイオード２０の発光面が当該発光ダイオード２０が搭載されている透光板１２ａ、１２ｂ、１２ｃに対向する。したがって、発光ダイオード２０から放射される光は、発光ダイオード２０が搭載されている各々の透光板１２ａ、１２ｂ、１２ｃを透過して透光筒１５の外部に放射される。
【００２３】
この場合も、発光ダイオード２０からは横方向にも光が放射され、透光筒１５内で光散乱が生じ、発光装置１０を外部から見ると、透光筒１５の全面から光が放射され、透光筒１５の全面が輝いているように視認される。
なお、透光筒１５による光の散乱を高める方法として、透光筒１５の内面に散乱用の溝を形成する方法も有効である。また、透光筒１５の内面を凹凸面に形成したり、透光筒１５の内面を粗面に形成したりする方法も有効である。また、配線パターン１４ａ、１４ｂとして透明材料を使用すれば、配線パターン１４ａ、１４ｂが外部から視認されにくくなり、外観的にも見栄えのよい発光装置となる。
【００２４】
また、発光装置１０に搭載する発光ダイオード２０として、大パワーのもので発熱量が大きなチップを使用する場合がある。このような場合には、透光筒１５内に水などの冷却用の液体を充填し、蓋３０によって透光筒１５をシールして封止する方法が有効である。このような発光装置を組み立てる際には、透光板１２ａ、１２ｂ、１２ｃに発光ダイオード２０を搭載した後、発光ダイオード２０と配線パターン１４ａ、１４ｂとを透光性の樹脂等により被覆してから水等の冷却用の液体を充填し、蓋３０を透光筒１５の端縁部に密封シールして取り付ける。
【００２５】
この場合に、蓋３０を銅等の熱放散性の良い材料によって形成すれば、透光筒１５に充填された液体中で熱対流が生じて熱拡散がなされることと、蓋３０から熱放散されることによって、発光装置１０の熱放散性を向上させることができ、大パワーの発光ダイオード２０であっても搭載することが可能になる。
なお、銅等の熱放散性の良い材料によって形成した蓋３０を取り付けることは、透光筒１５内に冷却用の液体を充填しない場合でも有効である。
また、蓋３０は透光筒１５内に搭載された発光ダイオード２０と極性を合わせて電気的に接続できるものであればよく、必ずしも基材を金属材としなければならないものではない。たとえば、樹脂材を基材とし、配線パターン１４ａ、１４ｂと電気的に接続される接続部と、該接続部に電気的に接続して電源と接続される接続電極を設けることも可能である。
【００２６】
（他の実施の形態）
上記実施形態の発光装置１０は透光筒１５を３枚の透光板１２ａ、１２ｂ、１２ｃを用いて形成したが、透光筒を形成する方法は上記例に限るものではない。すなわち、透光筒は３枚以上の透光板を組み合わせることによって、端面形状が任意の多角形となるようにすることができる。
【００２７】
図６は、透光板を組み合わせて形成する透光筒の他の例を示す。図６（ａ）は、４枚の透光板１２を組み合わせて形成した、端面形状が四角形の透光筒１５ａに発光ダイオード２０を搭載した例、図６（ｂ）は、５枚の透光板１２を組み合わせて形成した、端面形状が五角形の透光筒１５ｂに発光ダイオード２０を搭載した例、図６（ｃ）は、６枚の透光板１２を組み合わせて形成した、端面形状が六角形の透光筒１５ｃに発光ダイオード２０を搭載した例を示す。
いずれの透光筒１５ａ、１５ｂ、１５ｃとも、透光板１２の側縁部に斜めカット部１２１を形成して、斜めカット部１２１を突き合わせとして組み合わせている。このように、斜めカット部を突き合わせて透光筒を形成するかわりに、透光板の側端面を隣接する透光板の平面に突き当て透光筒を構成することも可能である。
【００２８】
図示例の発光装置は、いずれも、発光面を透光筒１５ａ、１５ｂ、１５ｃの内面に向け、ワイヤボンディングによって各々の透光板１２に発光ダイオード２０を搭載している。図５に示すように発光ダイオード２０をフリップチップ接続によって搭載することももちろん可能である。
また、図６（ｃ）では、透光板１２の内面にＶ溝１６を設け、透光筒１５ｃの内面で発光ダイオード２０からの放射光がより強く散乱するように設けている。
【００２９】
これらの各実施形態においては、蓋部３０ａの外形形状を透光筒１５ａ、１５ｂ、１５ｃの端面形状に合わせて形成し、嵌入部３０ｂの端面形状を、透光筒１５ａ、１５ｂ、１５ｃの内面の端面形状に合わせて形成したものを使用すればよい。
図６に示す透光筒１５ａ、１５ｂ、１５ｃは、いずれも正多角形状に形成した例であるが、辺長が異なる多角形に形成することも可能である。
【００３０】
上述した発光装置１０はいずれも、透光板１２を組み合わせて透光筒を形成したこと、透光筒の内面に発光ダイオード２０を搭載し、発光ダイオード２０からの投射光が透光板を通過して外部から視認できるようにしたことが特徴である。このように、透光板１２によって囲まれた内部空間に発光ダイオード２０を搭載することによって、発光ダイオード２０に外部から直接手が触れたりすることがなく、発光ダイオード２０を確実に保護できるという利点がある。また、発光ダイオード２０からの投射光が透光板１２を透過した光として視認されることから、発光ダイオード２０から放射される光をそのまま視認する場合とくらべて、より装飾的な発光作用を得ることができる。
【００３１】
また、本発明に係る発光装置では、任意の数の発光ダイオード２０を搭載することができ、発光ダイオード２０の搭載位置も自由に設定できることから、さまざまなバリエーションが可能な発光装置として提供することが可能である。これによって、装飾用のディスプレイに限らず、種々の用途に利用することができる。また、本発明に係る発光装置は、透光筒の外側のどの位置からも投射光を視認することができ、他方面から光を見ることができる発光装置として提供することができる。
【図面の簡単な説明】
【００３２】
【図１】本発明に係る発光装置の第１の実施の形態の構成を示す組立斜視図である。
【図２】図１のＡ−Ａ線断面図である。
【図３】透光板に発光ダイオードを搭載した状態の平面図である。
【図４】発光ダイオードが搭載された透光筒の端面図である。
【図５】発光ダイオードが搭載された透光筒の端面図である。
【図６】発光ダイオードが搭載された透光筒の他の例を示す端面図である。
【符号の説明】
【００３３】
１０  発光装置
１２、１２ａ、１２ｂ、１２ｃ  透光板
１４ａ、１４ｂ  配線パターン
１５、１５ａ、１５ｂ、１５ｃ  透光筒
２０  発光ダイオード
３０  蓋
３０ａ  蓋部
３０ｂ  嵌入部
【図１】
2007234470.tif 000003
【図２】
2007234470.tif 000004
【図３】
2007234470.tif 000005
【図４】
2007234470.tif 000006
【図５】
2007234470.tif 000007
【図６】
2007234470.tif 000008